(57)【要約】【課題】回転つまみが小型化しても、回転つまみに容易に他の回転体を取り付けることができる回転式電子部品を提供する。【解決手段】中央に回転体収納部２０７を有する回転つまみ２００と、回転体収納部２０７内に収納され回転つまみ２００と一体に回転するとともに中央に他部品収納部（挿通部１５５とつまみ部収納部１６７）を設けてなる連結部材（回転体）１５０とを具備する。回転つまみ２００の内周面２０７ａから突出する凸部からなる係合部２０９と、連結部材１５０の外周面を切り欠いてなる凹部からなる被係合部１６３とを設ける。回転体収納部２０７の下側から収納した連結部材１５０の被係合部１６３に係合部２０９をスライド可能に係合して係合部２０９の下端２０９ａを被係合部１６３の端部から露出させ、露出させた下端２０９ａを熱かしめすることで連結部材１５０と回転つまみ２００間を固定する。【選択図】図１
2008152965.tif 000002
【特許請求の範囲】
【請求項１】
中央に回転体収納部を有する回転つまみと、
前記回転つまみの回転体収納部内に収納されこの回転つまみと一体に回転するとともに中央に他部品収納部を設けてなる回転体と、
前記回転つまみ及び回転体の回転によって電気的出力を変化する電気的機能部と、を具備し、
前記回転つまみの内周面と前記回転体の外周面とに回転つまみの回転中心軸方向にスライド可能に係合する凹凸からなる係合部と被係合部とを設け、
回転つまみの回転体収納部に収納された回転体の被係合部に回転つまみの係合部を係合して固定することで回転つまみと回転体とを一体化したことを特徴とする回転式電子部品。
【請求項２】
前記係合部は前記回転つまみの内周面から突出する凸部であり、
前記被係合部は前記回転体の外周面を切り欠いてなる凹部であることを特徴とする請求項１に記載の回転式電子部品。
【請求項３】
前記回転つまみの係合部と回転体の被係合部との固定は、前記回転つまみの回転体収納部の下側から収納された回転体の被係合部に回転つまみの係合部をスライド可能に係合して係合部の下端を被係合部の端部から露出させ、露出させた係合部の下端をかしめることで行われることを特徴とする請求項２に記載の回転式電子部品。
【請求項４】
前記回転つまみの回転体収納部の内周面と、前記回転体の外周面との対向する位置に、回転体を回転つまみの回転体収納部に挿入した際に係合する位置決め用の位置決め部を設けたことを特徴とする請求項１又は２又は３に記載の回転式電子部品。
【請求項５】
前記他部品収納部には、押釦つまみが前記回転つまみの回転中心軸方向に向かって移動可能に収納されるとともに、
押釦つまみの他部品収納部から露出する押圧部によって押圧される位置に、押圧スイッチを配置したことを特徴とする請求項１又は２又は３又は４に記載の回転式電子部品。
【発明の詳細な説明】
【技術分野】
【０００１】
本発明は、回転つまみを回転することによって電気的出力を変化する回転式電子部品に関し、特に回転つまみの内部に押釦つまみなどの別の部品を収納してなる回転式電子部品に関するものである。
【背景技術】
【０００２】
従来、回転式スイッチや回転式可変抵抗器等の回転式電子部品の中には、回転つまみの中央に押釦つまみを設置し、これら回転つまみと押釦つまみの下方に前記回転つまみと一体に回転する回転型物に取り付けた摺動子が摺接する摺接パターンや前記押釦つまみの押圧部によって押圧されるスイッチパターン等を形成した回路基板を設置した構造の回転式電子部品がある（例えば特許文献１）。また従来この種の回転式電子部品の中には、回転つまみと回転型物間に介在して両者を連結する連結部材を設置する場合もある。連結部材を設置するのは、回転つまみの中央に押釦つまみが設置されるのでその構造上、回転つまみと回転型物を直接連結することが困難になる等の理由からである。そして上記回転型物や連結部材等（以下「回転体」という）と回転つまみ間の固定は、回転つまみの裏面から突出する円柱状の突起を回転体に設けた孔に挿入し、突起の先端を熱かしめするなどの方法によって行われていた。
【０００３】
しかしながら回転つまみの外径寸法を小型化した場合、また回転つまみ中央及び回転体中央に押釦つまみ等の他部品を設置するような場合、回転つまみの裏面から突起を突出したり、回転体に孔を設けたりするスペースがなくなってしまい、回転つまみと回転体間を連結することが困難になるという問題が生じていた。
【特許文献１】特開２００５−１８３１３５号公報
【発明の開示】
【発明が解決しようとする課題】
【０００４】
本発明は上述の点に鑑みてなされたものでありその目的は、回転つまみが小型化しても、回転つまみに容易に他の回転体を取り付けることができる回転式電子部品を提供することにある。
【課題を解決するための手段】
【０００５】
本願請求項１に記載の発明は、中央に回転体収納部を有する回転つまみと、前記回転つまみの回転体収納部内に収納されこの回転つまみと一体に回転するとともに中央に他部品収納部を設けてなる回転体と、前記回転つまみ及び回転体の回転によって電気的出力を変化する電気的機能部と、を具備し、前記回転つまみの内周面と前記回転体の外周面とに回転つまみの回転中心軸方向にスライド可能に係合する凹凸からなる係合部と被係合部とを設け、回転つまみの回転体収納部に収納された回転体の被係合部に回転つまみの係合部を係合して固定することで回転つまみと回転体とを一体化したことを特徴とする回転式電子部品にある。
【０００６】
本願請求項２に記載の発明は、前記係合部は前記回転つまみの内周面から突出する凸部であり、前記被係合部は前記回転体の外周面を切り欠いてなる凹部であることを特徴とする請求項１に記載の回転式電子部品にある。
【０００７】
本願請求項３に記載の発明は、前記回転つまみの係合部と回転体の被係合部との固定は、前記回転つまみの回転体収納部の下側から収納された回転体の被係合部に回転つまみの係合部をスライド可能に係合して係合部の下端を被係合部の端部から露出させ、露出させた係合部の下端をかしめることで行われることを特徴とする請求項２に記載の回転式電子部品にある。
【０００８】
本願請求項４に記載の発明は、前記回転つまみの回転体収納部の内周面と、前記回転体の外周面との対向する位置に、回転体を回転つまみの回転体収納部に挿入した際に係合する位置決め用の位置決め部を設けたことを特徴とする請求項１又は２又は３に記載の回転式電子部品にある。
【０００９】
本願請求項５に記載の発明は、前記他部品収納部には、押釦つまみが前記回転つまみの回転中心軸方向に向かって移動可能に収納されるとともに、押釦つまみの他部品収納部から露出する押圧部によって押圧される位置に、押圧スイッチを配置したことを特徴とする請求項１又は２又は３又は４に記載の回転式電子部品にある。
【発明の効果】
【００１０】
請求項１に記載の発明によれば、回転つまみの内周面と回転体の外周面とにそれぞれ回転つまみの回転軸方向にスライド可能に係合する凹凸からなる係合部と被係合部とを設けて両者を固定したので、回転つまみが小型化してその下面から突起が突出できないような場合でも、容易に回転つまみと回転体とを一体化することができる。
【００１１】
請求項２に記載の発明によれば、回転つまみの回転体収納部の内周面に設けた凸状の係合部を、回転体の外周面に設けた切り欠き状の被係合部にスライド可能に係合して固定するという簡単な構造で容易に小型化した回転つまみと回転体とを一体化できる。
【００１２】
請求項３に記載の発明によれば、回転体の被係合部に回転つまみの係合部をスライド可能に係合して被係合部の端部から露出した係合部の下端をかしめるだけで、小型化した回転つまみと回転体との一体化を容易に行うことができる。
【００１３】
請求項４に記載の発明によれば、係合部と被係合部の他に、別途位置決め部を設けたので、回転体に対する回転つまみの回転方向の位置決めができる。
【００１４】
請求項５に記載の発明によれば、押圧式電子部品付の回転式電子部品を提供できる。
【発明を実施するための最良の形態】
【００１５】
以下、本発明の実施形態を図面に基づいて詳細に説明する。
図１は本発明の１実施形態にかかる押圧式電子部品付の回転式電子部品１の概略側断面図、図２は回転式電子部品１の上部の部品を上側から見た分解斜視図、図３は回転式電子部品１の下部の部品を上側から見た分解斜視図、図４は回転式電子部品１の上部の部品を下側から見た分解斜視図、図５は回転式電子部品１の下部の部品を下側から見た分解斜視図である。これらの図に示すように回転式電子部品１は、取付板１０上に、回路基板（以下「フレキシブル回路基板」という）２０と、支持台６０と、摺動子８０及び補強板１００を取り付けた回転型物７０と、弾発部材（以下「バネ」という）１１０を取り付けたケース１２０と、回転体（以下「連結部材」という）１５０と、押釦つまみ１８０と、回転つまみ２００とを具備して構成されている。以下各構成部品について説明する。
【００１６】
取付板１０は硬質板（この実施形態ではステンレス板であるが、他の金属板又は樹脂板等でも良い）の所定位置に貫通する小孔からなる複数の取付部１１を設けて構成されている。
【００１７】
フレキシブル回路基板２０は、可撓性を有する合成樹脂フイルム（この実施形態ではポリエチレンテレフタレートフイルム）の表面に所望の回路パターンを設けて構成されており、２枚の略同一形状（略円形）の第１，第２基板部２１，２３を重ね合せることで形成される押釦スイッチ部２５と、押釦スイッチ部２５の上部に設置される回転式電子部品部４５とを具備している。第１，第２基板部２１，２３は連結部２７で連結されていてこの連結部２７の部分を折り曲げることで重ね合わされ、また第２基板部２３と回転式電子部品部４５とは連結部２９で連結されていてこの連結部２９の部分を折り曲げることで第２基板部２３の上方に回転式電子部品部４５が設置されている。第１基板部２１からは帯状の引出部３１が外方に向けて突出しており、図示しない他の電気回路に接続される。重ね合わせた第１，第２基板部２１，２３の中央には狭い間隔を介して一対の接点パターン３３，３５（図１参照）が対向することで、押圧スイッチ３７が形成されている。一対の接点パターン３３，３５の周囲にはこれらを囲むようにスペーサ層３９が形成されている。また押圧スイッチ３７の上部（第２基板部２３上）には弾性金属板をドーム状に形成した反転板４１が設置されている。また重ね合わせた第１，第２基板部２１，２３の前記取付板１０の各取付部１１に対向する位置には、上下に貫通する小孔からなる挿通部４３が設けられている。回転式電子部品部４５は略円形であり、中央に下記する押釦つまみ１８０の軸部１８３を挿通する円形の挿通孔４７を設け、挿通孔４７の周囲上面（図３に点線で示す領域）に電気的機能部となる摺接パターン４９を設け、またその外周の複数箇所（３ヶ所）から舌片状であって内部に略円形の貫通孔からなる挿通孔５１を有する取付部５３を設けて構成されている。なおこの実施形態の摺接パターン４９はスイッチパターン（コードスイッチパターン）である。引出部３１には摺接パターン４９や前記一対の接点パターン３３，３５に接続された図示しない回路パターンが引き出されている。
【００１８】
支持台６０は合成樹脂（例えばＡＢＳ樹脂）を略円板状に形成して構成されており、中央に下記する押釦つまみ１８０の軸部１８３を挿通する円形の挿通孔部６１を設け、またその外周の複数箇所（３ヶ所）から舌片状であって内部に略円形の貫通孔からなる挿通孔部６３を有する取付突部６５を設けて構成されている。
【００１９】
電気的機能部となる摺動子８０は弾性金属板を略リング状に形成して構成されており、中央に円形の貫通孔からなる開口部８１を設け、また略等間隔に設けた３つの基部８３からそれぞれ円弧状に３組の摺動冊子８５を突出して構成されている。各摺動冊子８５の先端には弾接部８７が設けられている。また基部８３にはそれぞれ小孔からなる固定部８９が設けられている。
【００２０】
回転型物７０は合成樹脂（例えばＰＯＭ樹脂）を略円板状に成形して構成されており、その中央に上下に貫通する挿通部７１を設け、また挿通部７１の周囲の同一円弧上に３つの上下に貫通する取付穴７３を設け、取付穴７３の周囲の上面に円弧状であって上方向に突出する３つのガイド部７５を設け、ガイド部７５の周囲の上面に２つの小突起状の取付片７７を設け、一方回転型物７０の下面の前記摺動子８０の各固定部８９に対向する位置にこれら固定部８９に挿入される小突起状の摺動子取付部７９を設けて構成されている。
【００２１】
補強板１００は硬質板（この実施形態ではステンレス板であるが、他の金属板又は樹脂板等でも良い）を略リング状に形成して構成されており、中央に前記回転型物７０のガイド部７５を挿入する開口１０１を設け、また前記回転型物７０の各取付片７７に対向する位置に取付片７７を挿入する小孔からなる取付固定部１０３を設けて構成されている。
【００２２】
バネ１１０は弾性金属板を略リング状に形成し、１８０°対向する位置に一対の取付用基部１１１を設けて各取付用基部１１１内に小孔からなる挿入固定部１１３を設け、基部１１１と基部１１１の間を結ぶ一対のアーム部１１５の中央をそれぞれ下方向（補強板１１０方向）に向けて突出するように屈曲させて弾接部１１７として構成されている。
【００２３】
ケース１２０は合成樹脂（例えばＡＢＳ樹脂）製であって下面が開放された略筒状に形成されている。即ち筒状の側壁部１２３の上面に上面部１２５を設けており、開放された下面側部分を収納部１２７としている。上面部１２５の中央には下記する連結部材１５０の支持部１５１を回動自在に挿通する挿通部１２９が設けられている。挿通部１２９の周囲には筒状のガイド部１３１が突出しており、ガイド部１３１の外周を囲む位置にも筒状の側壁部１３３が突出しており、ガイド部１３１と側壁部１３３の間の凹部をグリス充填部１３５としている。一方側壁部１２３の下端辺の前記取付板１０の各取付部１１に対向する位置にはそれぞれ各取付部１１に挿入される小突起状の固定部１３７が設けられ、また側壁部１２３の下端辺の各固定部１３７の間の位置には４つの凹部１３９が設けられてその内の３つの凹部１３９内に下方向に突出する小突起状の取付固定部１４１が設けられている。なお上面部１２５の下面の前記バネ１１０に設けた一対の挿入固定部１１３にそれぞれ対向する位置には、図示はしないがこれら挿入固定部１１３に挿入される一対の小突起が設けられている。
【００２４】
図７は連結部材１５０を拡大して下面側から見た斜視図である。同図及び図１，図２，図４に示すように、連結部材１５０は合成樹脂（例えばＡＢＳ樹脂）の成形品であって、略円筒状の支持部１５１の上端に略円板状のつまみ固定部１５３を設けて構成されている。連結部材１５０の中央にはこれを上下に貫通して下記する押釦つまみ１８０の軸部１８３を上下動自在に挿入（貫通）ガイドする他部品収納部となる挿通部１５５が設けられている。支持部１５１の下端辺からは３つの取付係合部１５７が突設されている。各取付係合部１５７はそれぞれ前記回転型物７０の取付穴７３にぴったり挿入されてその先端が回転型物７０の下面から突出する形状に形成されている。つまみ固定部１５３の下面の前記支持部１５１を囲む位置であって且つ前記ケース１２０のグリス充填部１３５に挿入される位置には、下方向に向かって突出する４枚の抵抗付与部１５９が設けられている。抵抗付与部１５９は支持部１５１を囲むように真下（連結部材１５０の回転中心軸Ｌ方向）から見て円弧状に湾曲している。つまみ固定部１５３の外周には上方向（押釦つまみ１８０方向）に向かって突出する略円筒状の側壁部１６１が設けられており、その中央部分は円形凹状の他部品収納部となるつまみ部収納部１６７となっている。つまり前記挿通部１５５とつまみ部収納部１６７を合せて他部品収納部を構成している。つまみ固定部１５３の外周の略等間隔の複数箇所（この実施形態では４ヶ所）にはこの連結部材１５０のつまみ固定部１５３の外周面を略矩形状に切り欠いてなる凹部からなる被係合部１６３が設けられている。つまり被係合部１６３は連結部材１５０の半径方向外方に向かって開放されている切り欠きとなっている。また連結部材１５０のつまみ固定部１５３の外周面の１ヶ所には、略矩形状に切り欠いてなる凹状の位置決め部１６５が設けられている。位置決め部１６５は連結部材１５０の回転中心軸Ｌ方向に平行な方向に向かって直線状に設けられている。さらに連結部材１５０のつまみ固定部１５３の側壁部１６１にはこれをその上端面から凹状に切り欠く１つのつまみ位置決め部１６９が設けられている。
【００２５】
押釦つまみ１８０は合成樹脂（例えばＡＢＳ樹脂）の成形品であって、略円板状のつまみ部１８１の下面中央から棒状の軸部１８３を突出して構成されている。軸部１８３の下部は前記押圧スイッチ３７を押圧する押圧部１８５となっている。つまみ部１８１にはその外周からリング状のつば部１８７が突出しており、その一部からはさらに外方に突出する舌片状の位置決め部１８９が設けられている。位置決め部１８９は前記連結部材１５０のつまみ位置決め部１６９に上下動自在に係合される形状に形成されている。
【００２６】
図６は回転つまみ２００を拡大して下面側から見た斜視図である。同図及び図１，図２，図４に示すように、回転つまみ２００は合成樹脂（例えばＰＣ／ＡＢＳ樹脂）の成形品であり、下面が開放された略円筒状に形成され、側壁部２０１と上面部２０３とを有し、上面部２０３中央に開口２０５を設け、これによって中央に上下に貫通する回転体収納部２０７を有して構成されている。回転つまみ２００の回転体収納部２０７の内周面２０７ａには、この内周面２０７ａから突出する凸部からなる４つの係合部２０９が設けられている。各係合部２０９はこの実施形態では同一の矩形状であり、内周面２０７ａから直方体形状に突出している。この直方体形状の辺の内の４辺は回転中心軸Ｌに平行な方向を向いている。これら各係合部２０９は前記連結部材１５０の各被係合部１６３に係合する位置に設けられ、それぞれ回転つまみ２００の回転中心軸Ｌ方向にスライド可能に係合する形状に形成されている。また回転つまみ２００の回転体収納部２０７の内周面２０７ａには、この内周面２０７ａから突出する凸部からなる１つの位置決め部２１１が設けられている。位置決め部２１１は矩形状であり、内周面２０７ａから直方体形状に突出している。この直方体形状の辺の内の４辺は回転中心軸に平行な方向を向いている。この位置決め部２１１は前記連結部材１５０の位置決め部１６５に係合する位置に設けられ、回転つまみ２００の回転中心軸Ｌ方向にスライド可能に係合する形状に形成されている。
【００２７】
次に回転式電子部品１の組立方法を説明する。まず予め回転型物７０の上面に補強板１００を設置し、その際回転型物７０の各取付片７７を補強板１００の各取付固定部１０３に挿入して各取付片７７の先端を熱かしめして取り付ける。一方回転型物７０の下面に摺動子８０を設置し、その際回転型物７０の各摺動子取付部７９を摺動子８０の各固定部８９に挿入して各摺動子取付部７９の先端を熱かしめして取り付ける。またケース１２０の上面部１２５の裏面にバネ１１０を設置し、その際上面部１２５の裏面に設けた図示しない一対の小突起をバネ１１０に設けた一対の挿入固定部１１３にそれぞれ挿入して前記小突起の先端を熱かしめして取り付ける。なおバネ１１０にはグリスを塗布しておく。
【００２８】
そして連結部材１５０の上に押釦つまみ１８０を設置し、その際押釦つまみ１８０の軸部１８３を連結部材１５０の挿通部１５５に上下動自在に挿入し、押釦つまみ１８０のつまみ部１８１を連結部材１５０のつまみ部収納部１６７内に収納し、同時に押釦つまみ１８０の位置決め部１８９を連結部材１５０のつまみ位置決め部１６９に係合して連結部材１５０に対して押釦つまみ１８０が回転しないようにする。
【００２９】
次に前記押釦つまみ１８０を装着した連結部材１５０の上に回転つまみ２００を被せ、連結部材１５０の上部を回転つまみ２００の回転体収納部２０７内に収納する。その際回転つまみ２００の各係合部２０９を連結部材１５０の各被係合部１６３に、回転つまみ２００の回転中心軸Ｌ方向にスライドして係合させる。同時に回転つまみ２００の位置決め部２１１を連結部材１５０の位置決め部１６５に、回転つまみ２００の回転中心軸Ｌ方向にスライドして係合させる。なおこのとき連結部材１５０の上端面は回転つまみ２００の上面部２０３の裏面に当接し、この当接した位置（スライド方向の位置）に位置決めされる。図８は連結部材１５０を収納した回転つまみ２００をその下面側から見た図である。同図において各係合部２０９の下端２０９ａは、被係合部１６３の下端に露出する。そして露出した各係合部２０９の下端２０９ａを図１に示すように熱かしめして潰し、これによって係合部２０９と被係合部１６３とを固定し、回転つまみ２００と連結部材１５０とを一体化する。
【００３０】
次に一体化された押釦つまみ１８０付きの連結部材１５０と回転つまみ２００とをケース１２０上に配置し、その際連結部材１５０の支持部１５１をケース１２０の挿通部１２９に回動自在に挿入する。同時に連結部材１５０の各抵抗付与部１５９はケース１２０のグリス充填部１３５に挿入される。なおグリス充填部１３５には予めグリスが充填されている。
【００３１】
次にケース１２０の下面側からその収納部１２７内に、補強板１００と摺動子８０とを取り付けた回転型物７０を収納し、連結部材１５０下端の各取付係合部１５７を回転型物７０の各取付穴７３に挿入し、回転型物７０の下面から突出する各取付係合部１５７を熱かしめして連結部材１５０と回転型物７０とを一体化する。
【００３２】
次に前記ケース１２０の下面にフレキシブル回路基板２０の回転式電子部品部４５を配置し、その下側に支持台６０を設置し、その際ケース１２０の各取付固定部１４１を回転式電子部品部４５の各挿通孔５１と支持台６０の各挿通孔部６３に挿入し、支持台６０の下面側に露出する各取付固定部１４１の先端を熱かしめして取り付ける。
【００３３】
そして第１，第２基板部２１，２３を重ね合わせた押釦スイッチ部２５を、支持台６０の下面側に配置し、その下側に取付板１０を配置し、その際ケース１２０の各固定部１３７を押釦スイッチ部２５の各挿通部４３と取付板１０の各取付部１１とに挿入し、取付板１０の下面から露出する各固定部１３７の先端を熱かしめして取り付ける。これによって回転式電子部品１の組み立てが完了する。
【００３４】
以上のように構成された回転式電子部品１において、回転つまみ２００を回転すると、これと一体に連結部材１５０、回転型物７０、摺動子８０、補強板１００が回転し、摺動子８０の各弾接部８７が回転式電子部品部４５の摺接パターン４９上を摺動し、その電気的出力を変化する。なお回転つまみ２００を回転した際、グリス充填部１３５に充填されたグリス内を連結部材１５０の抵抗付与部１５９が移動し、同時に補強板１００上をグリスを塗布したバネ１１０の弾接部１１７が弾接して移動するので、両者の抵抗によって回転つまみ２００の回転に比較的ねばりの強い抵抗を付与することができ。従ってそのようなねばりの強い抵抗を必要とする場合に好適な機構となっている。
【００３５】
一方押釦つまみ１８０のつまみ部１８１を押圧してこれを下降すれば、その押圧部１８５が押圧スイッチ３７上に設置した反転板４１を押圧してこれを反転し、押圧スイッチ３７がオンする。前記押圧を解除すれば反転板４１の弾性復帰力によって押釦つまみ１８０は元の位置に押し上げられ、押圧スイッチ３７はオフする。
【００３６】
以上説明したように、この回転式電子部品１は、中央に回転体収納部２０７を有する回転つまみ２００と、回転つまみ２００の回転体収納部２０７内に収納されこの回転つまみ２００と一体に回転するとともに中央に他部品収納部となる挿通部１５５及びつまみ部収納部１６７を設けてなる連結部材１５０と、回転つまみ２００及び連結部材１５０の回転によって電気的出力を変化する摺動子８０及び摺接パターン４９からなる電気的機能部と、を具備し、回転つまみ２００の回転体収納部２０７の内周面２０７ａと連結部材１５０の外周面とに回転つまみ２００の回転中心軸Ｌ方向にスライド可能に係合する凹凸からなる係合部２０９と被係合部１６３とを設け、回転つまみ２００の回転体収納部２０７に収納された連結部材１５０の被係合部１６３に回転つまみ２００の係合部２０９を係合して固定することで回転つまみ２００と連結部材１５０とを一体化して構成されている。このように回転つまみ２００の回転体収納部２０７の内周面２０７ａに設けた係合部２０９と連結部材１５０の外周面に設けた被係合部１６３とをスライド可能に係合して固定する構造としたので、回転つまみ２００が小型化しても、容易に回転つまみ２００と連結部材１５０とを一体化することができる。即ちこの回転式電子部品１は、回転つまみ２００の回転体収納部２０７の内周面２０７ａに設けた凸状の係合部２０９を、連結部材１５０の外周面に設けた切り欠き状の被係合部１６３にスライド可能に係合して固定するという簡単な構造で容易に小型化した回転つまみ２００と連結部材１５０とを一体化することができる。特にこの実施形態のように回転つまみ２００と連結部材１５０の中央に押圧式電子部品を収納するような場合でも、回転つまみ２００と連結部材１５０とを容易に一体化することができる。
【００３７】
またこの回転式電子部品１では、回転つまみ２００の係合部２０９と連結部材１５０の被係合部１６３との固定が、回転つまみ２００の回転体収納部２０７の下側から収納された連結部材１５０の被係合部１６３に回転つまみ２００の係合部２０９をスライド可能に係合して係合部２０９の下端２０９ａを被係合部１６３の端部から露出させ、露出させた係合部２０９の下端２０９ａをかしめるだけで行われるので、小型化した回転つまみ２００と連結部材１５０との一体化を容易に行うことができる。
【００３８】
またこの回転式電子部品１では、回転つまみ２００の回転体収納部２０７の内周面２０７ａと、連結部材１５０の外周面との対向する位置に、連結部材１５０を回転つまみ２００の回転体収納部２０７に挿入した際に係合する位置決め用の位置決め部１６５，２１１を、係合部２０９と被係合部１６３の他に別途設けたので、連結部材１５０に対する回転つまみ２００の回転方向の位置決めが容易に行える。
【００３９】
またこの回転式電子部品１では、他部品収納部となる挿通部１５５及びつまみ部収納部１６７に、押釦つまみ１８０を回転つまみ２００の回転中心軸Ｌ方向に向かって移動可能に収納するとともに、押釦つまみ１８０の他部品収納部から露出する押圧部１８５によって押圧される位置に押圧スイッチ３７を配置したので、押圧式電子部品付の回転式電子部品１を容易に構成できる。
【００４０】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。例えば上記実施形態では、回転つまみ２００の回転体収納部２０７の下側から連結部材１５０を収納して係合部２０９と被係合部１６３とを係合して固定したが、図９に示すように、回転つまみ２００の回転体収納部２０７の上側から押釦つまみ１８０を取り付けた連結部材１５０を収納して係合部２０９と被係合部１６３とを係合し、被係合部１６３の端部から露出する係合部２０９の上端をかしめることで両者を固定してもよい。なおこの場合、回転つまみ２００の回転体収納部２０７の上部にはこれを覆う図示しないリング状の覆い板を圧入して取り付ける等し、覆い板によって押釦つまみ１８０が上方向へ抜けるのを防止する。このとき同時に押釦つまみ１８０のつまみ部１８１は覆い板中央の穴に露出する。なお回転つまみ２００の内周面２０７ａの下部には連結部材１５０のつまみ固定部１５３の裏面が当接してこのつまみ固定部１５３が下方向に移動していくのを防止する図示しない当接部を設けておく。
【００４１】
また上記実施形態では係合部２０９と被係合部１６３間の固定を熱かしめによって行ったが、超音波溶着又は熱を加えないかしめ又は圧入等の他の各種固定方法を用いて固定してもよい。また上記実施形態では係合部２０９を凸、被係合部１６３を凹としたが、係合部２０９を凹、被係合部１６３を凸としてもよい。要は連結部材１５０の被係合部１６３に回転つまみ２００の係合部２０９を係合して固定する構造であればどのような構造であってもよい。
【００４２】
また上記実施形態では回転体として、回転つまみ２００と回転型物７０間を連結する連結部材１５０を示したが、連結部材１５０以外の各種回転体と回転つまみ２００とを固定する部分に本発明を適用してもよい。例えば連結部材１５０を省略して（又は連結部材１５０と一体化した）回転型物７０を回転体として、この回転型物７０を直接回転つまみ２００に連結する場合に本発明を適用してもよい。また回転体である連結部材１５０の中央に設けられる他部品収納部を、上記実施形態では挿通部１５５及びつまみ部収納部１６７として押釦つまみ１８０を収納したが、それ以外の部品、例えば上記回転式電子部品１の中央に設置される別の回転式電子部品用の各種部品（例えば別の回転つまみ）や、発光素子等の各種発光手段や、その他の各種部品を他部品収納部に収納してもよい。また上記実施形態では電気的機能部として摺動子８０及び摺接パターン４９を用いたが、他の各種構造の電気的機能部であってもよく、要は回転つまみ２００及び回転体（上記実施形態では連結部材１５０）の回転に伴なって電気的出力を変化するものであればどのような構成の電気的機能部であっても良い。
【図面の簡単な説明】
【００４３】
【図１】押圧式電子部品付の回転式電子部品１の概略側断面図である。
【図２】回転式電子部品１の上部の部品を上側から見た分解斜視図である。
【図３】回転式電子部品１の下部の部品を上側から見た分解斜視図である。
【図４】回転式電子部品１の上部の部品を下側から見た分解斜視図である。
【図５】回転式電子部品１の下部の部品を下側から見た分解斜視図である。
【図６】回転つまみ２００を拡大して下面側から見た斜視図である。
【図７】連結部材１５０を拡大して下面側から見た斜視図である。
【図８】連結部材１５０を収納した回転つまみ２００をその下面側から見た図である。
【図９】他の実施形態にかかる回転つまみ２００と連結部材１５０と押釦つまみ１８０とを示す図である。
【符号の説明】
【００４４】
１  回転式電子部品
１０  取付板
２０  フレキシブル回路基板（回路基板）
３７  押圧スイッチ
４９  摺接パターン（電気的機能部）
６０  支持台
７０  回転型物
８０  摺動子（電気的機能部）
１００  補強板
１１０  バネ（弾発部材）
１２０  ケース
１５０  連結部材（回転体）
１５１  支持部
１５３  つまみ固定部
１５５  挿通部（他部品収納部）
１６３  被係合部
１６５  位置決め部
１６７  つまみ部収納部（他部品収納部）
１８０  押釦つまみ
１８５  押圧部
２００  回転つまみ
２０７  回転体収納部
２０７ａ  内周面
２０９  係合部
２０９ａ  下端
２１１  位置決め部
【図１】
2008152965.tif 000003
【図２】
2008152965.tif 000004
【図３】
2008152965.tif 000005
【図４】
2008152965.tif 000006
【図５】
2008152965.tif 000007
【図６】
2008152965.tif 000008
【図７】
2008152965.tif 000009
【図８】
2008152965.tif 000010
【図９】
2008152965.tif 000011